(57)【要約】【課題】手間や時間をかけることなく収納されたツールを瞬時に探し出すことができると共に、持ち運びに便利であるなどの機能性を向上させることができるツールボックスを提供することを目的とする。【解決手段】上記の課題を解決するために、本発明は、第一殻体、第二殻体、ツール収納板を有するツールボックスであって、前記第一殻体と前記第二殻体のそれぞれは、第一側面と第二側面と、内縁の適当な位置に形成された収納空間と、前記収納空間に連通された孔と、前記孔に設けられた透明カバーとを有し、前記第二殻体の前記第一側面は、枢設軸を介して前記第一殻体の前記第一側面に接続され、前記第一殻体の前記第二側面は、取り外し可能なように前記第二殻体の第二側面に結合され、前記ツール収納板は、前記収納空間に収納され、複数のツール放置溝が形成された上面と下面とを有するように構成される。【選択図】        図２
2004155486.tif 000002
【特許請求の範囲】
【請求項１】
複数のツールを収納し、第一殻体、第二殻体、ツール収納板を有するツールボックスであって、
前記第一殻体と前記第二殻体のそれぞれは、第一側面と第二側面と、内縁の適当な位置に形成された収納空間と、前記収納空間に連通された孔と、前記孔に設けられた透明カバーとを有し、
前記第二殻体の前記第一側面は、枢設軸を介して前記第一殻体の前記第一側面に接続され、
前記第一殻体の前記第二側面は、取り外し可能なように前記第二殻体の第二側面に結合され、
前記ツール収納板は、前記収納空間に収納され、複数のツール放置溝が形成された上面と下面とを有することを特徴とするツールボックス。
【請求項２】
前記第一殻体の前記第二側面と、前記第二殻体の前記第二側面のそれぞれは、前記ツールボックスを持ち運ぶためのハンドルを有することを特徴とする請求項１記載のツールボックス。
【請求項３】
前記第一殻体の前記第二側面と、前記第二殻体の前記第二側面のそれぞれは、前記ハンドルを使用しないときに前記ハンドルを収納する隠蔽部を有することを特徴とする請求項２記載のツールボックス。
【請求項４】
前記収納空間は、二つの向き合う縦方向側面に複数の凹部を有し、
前記ツール収納板は、前記凹部と結合する複数の突出体を有することを特徴とする請求項１乃至３いずれか一項記載のツールボックス。
【請求項５】
前記第一殻体の前記第二側面は、雄ボタンを有し、前記第二殻体の前記第二側面は、雌ボタンを有することを特徴とする請求項１乃至４いずれか一項記載のツールボックス。
【請求項６】
前記雄ボタンは、取り外し可能なように前記雌ボタンと結合されることを特徴とする請求項５記載のツールボックス。
【請求項７】
前記ツール収納板は、前記上面の前記ツール放置溝と、前記下面の前記ツール放置溝とにそれぞれ異なるツールを収納することを特徴とする請求項１乃至６いずれか一項記載のツールボックス。
【発明の詳細な説明】
【０００１】
【発明の属する技術分野】
本発明は、ツールボックスに係り、特に、両面に内部に収納されたツールを観察及び展示することができるツール収納板を設けたツールボックスに関するものである。
【０００２】
【従来の技術】
従来、様々な異なる大きさの修理用、保存用のツールを収納するためのツールボックスが存在する。例えば、修理用、保存用のツールとして、スクリュードライバーやハンマー、ボックススパナーなどがある。このようなツールボックスは、上蓋、下蓋、取手などを有し、内部に上記のツールを収納可能な構造となっている。ツールボックスにツールを収納することにより、持ち運びや修理時などに便利なだけでなく、湿気や塵埃を防いで効率的に収納することができる。
【０００３】
【発明が解決しようとする課題】
しかしながら、従来のツールボックスにおいて、ユーザーが所望のツールを用いる場合、ツールボックス内に混在する複数のツールの中から所望のツールを探し出すまでに時間や手間がかかってしまうという問題点があった。また、ツールボックス内に複数のツールが混在しているため、損失したツールがあるか、所望のツールが収納されているかを瞬時に確認することができないという問題点があった。
【０００４】
また、従来のツールボックスでは、様々な異なる大きさの修理用、保存用のツールを収納するために容量が大きくなり、持ち運びに不便であるという問題点があった。
【０００５】
よって、本発明は、上記の問題点を解決し、手間や時間をかけることなく収納されたツールを瞬時に探し出すことができると共に、持ち運びに便利であるなどの機能性を向上させることができるツールボックスを提供することを目的とする。
【０００６】
【課題を解決するための手段】
上記課題を解決するため、本発明は、複数のツールを収納し、第一殻体、第二殻体、ツール収納板を有するツールボックスであって、前記第一殻体と前記第二殻体のそれぞれは、第一側面と第二側面と、内縁の適当な位置に形成された収納空間と、前記収納空間に連通された孔と、前記孔に設けられた透明カバーとを有し、前記第二殻体の前記第一側面は、枢設軸を介して前記第一殻体の前記第一側面に接続され、前記第一殻体の前記第二側面は、取り外し可能なように前記第二殻体の第二側面に結合され、前記ツール収納板は、前記収納空間に収納され、複数のツール放置溝が形成された上面と下面とを有する構成される。
【０００７】
このようなツールボックスでは、第一殻体と前記第二殻体のそれぞれが第一側面と第二側面と、内縁の適当な位置に形成された収納空間と、その収納空間に連通された孔と、その孔に設けられた透明カバーとを有し、第二殻体の第一側面は、枢設軸を介して第一殻体の第一側面に接続され、第一殻体の第二側面は、取り外し可能なように前記第二殻体の第二側面に結合され、ツール収納板は、収納空間に収納され、複数のツール放置溝が形成された上面と下面とを有することにより、手間や時間をかけることなく収納されたツールを瞬時に探し出すことができると共に、持ち運びに便利であるなどの機能性を向上させることができる。
【０００８】
また、本発明は、請求項２に記載されるように、前記第一殻体の前記第二側面と、前記第二殻体の前記第二側面のそれぞれは、前記ツールボックスを持ち運ぶためのハンドルを有する構成としてもよい。
【０００９】
このようなツールボックスでは、第一殻体、第二殻体の第二側面のそれぞれにツールボックスを持ち運ぶためのハンドルを有することにより、持ち運びに便利であるなどの機能性を向上させることができる。
【００１０】
また、本発明は、請求項３に記載されるように、前記第一殻体の前記第二側面と、前記第二殻体の前記第二側面のそれぞれは、前記ハンドルを使用しないときに前記ハンドルを収納する隠蔽部を有する構成としてもよい。
【００１１】
このようなツールボックスでは、第一殻体、第二殻体の第二側面のそれぞれにハンドルを使用しないときにハンドルを収納する隠蔽部を有することにより、第一殻体、第二殻体とを強固に固定することができる。
【００１２】
また、本発明は、請求項４に記載されるように、前記収納空間は、二つの向き合う縦方向側面に複数の凹部を有し、前記ツール収納板は、前記凹部と結合する複数の突出体を有する構成としてもよい。
【００１３】
このようなツールボックスでは、収納空間に二つの向き合う縦方向側面に複数の凹部を有し、ツール収納板に凹部と結合する複数の突出体を有することにより、ツールを収納するツール収納板をツールボックス内に固定することができる。
【００１４】
また、本発明は、請求項５に記載されるように、前記第一殻体の前記第二側面は、雄ボタンを有し、前記第二殻体の前記第二側面は、雌ボタンを有する構成としてもよい。
【００１５】
このようなツールボックスでは、第一殻体の第二側面は雄ボタンを有し、第二殻体の第二側面は雌ボタンを有することにより、第一殻体、第二殻体とを強固に固定することができる。
【００１６】
また、本発明は、請求項６に記載されるように、前記雄ボタンは、取り外し可能なように前記雌ボタンと結合される構成としてもよい。
【００１７】
このようなツールボックスでは、雄ボタンが取り外し可能なように雌ボタンと結合されることにより、第一殻体、第二殻体とを強固に固定することができる。
【００１８】
また、本発明は、請求項７に記載されるように、前記ツール収納板は、前記上面の前記ツール放置溝と、前記下面の前記ツール放置溝とにそれぞれ異なるツールを収納する構成としてもよい。
【００１９】
このようなツールボックスでは、ツール収納板が上面のツール放置溝と、下面のツール放置溝とにそれぞれ異なるツールを収納することにより、効率的に異なる複数のツールを収納することができる。
【００２０】
以下に添付図面を参照して本発明のある好適な実施の形態を詳細に説明するが、それらの構成は本発明の構造の絶対的な制限にならない。
【００２１】
【発明の実施の形態】
以下、図を参照して本発明のツールボックスを説明する。
【００２２】
図１は、本発明の第１実施例に係るツールボックスを示す斜視図である。図２は、本発明の第１実施例に係るツールボックスを示す分解斜視図である。図３は、本発明の第１実施例に係るツールボックスの分解断面図である。図４は、本発明の第１実施例に係るツールボックスの組み立て部分を示す斜視図である。図５は、本発明の第１実施例に係るツールボックスの内部を示す斜視図である。図６は、本発明の第２実施例に係るツールボックスを示す斜視図である。図１〜図３に示すツールボックスは、主に、第一殻体２０ａ、第二殻体２０ｂ、ツール収納板１０などの要素で構成される。第一殻体２０ａには、第一側面２２ａが設けられ、枢設軸を介して第二殻体２０ｂの第一側面２２ｂに接続される。第一殻体２０ａの第二側面２１ａは取り外し可能なように、第二殻体２０ｂの第二側面２１ｂに結合されている。また、第一殻体２０ａの第二側面２１ａは、雄ボタン２７、雌ボタン２８を有する。第一殻体２０ｂの第二側面２１ｂは、雌ボタン２８、雄ボタン２７を有する。雄ボタン２７は取り外し可能なように雌ボタン２８と結合される。
【００２３】
また、第一殻体２０ａ、第二殻体２０ｂの内縁の適当な位置に収納空間２３が形成されている。第一殻体２０ａ、第二殻体２０ｂの収納空間２３には、連通された孔２４を有する。孔２４には、透明カバー２５が設けられているため、ツールボックス内部に収納されたツールを観察することができ、損失したツールや所望のツールを瞬時に確認することができる。また、ツールボックス内部のツールを展示するようにしてもよい。
【００２４】
また、収納空間２３の内側の二つの向き合う縦方向側面には、複数の凹部２３１が設けられている。ツール収納板１０は、上面１１、下面１２を有する。上面１１には、複数のツール放置溝１３が設けられている。例えば、図１に示すように、複数のツール放置溝１３にボックススパナーを収納することができる。下面１２には、複数のツール放置溝１４が設けられている。例えば、図６に示すように、複数のツール放置溝１４にスパナーを収納することができる。ツール収納板１０は、二つの向き合う縦方向側面に複数の突出体１５が設けられている。
【００２５】
図３において、ツールボックスを開ける場合、ツール収納板１０は第一殻体２０ａ、第二殻体２０ｂの収納空間２３に収納される。ツール収納板１０の片側の突出体１５が対応する凹部２３１と係止されるため、ツール収納板１０を位置決め固定することができる。同様に、ツールボックスを閉める場合、ツール収納板１０は第一殻体２０ａ、第二殻体２０ｂの二つの収納空間２３に収納される。ツール収納板１０の片側の突出体１５が対応する凹部２３１と係止されるため、ツール収納板１０を位置決め固定することができる。
【００２６】
図４において、第一殻体２０ａ、第二殻体２０ｂの第二側面２１ａ、２１ｂのそれぞれには、ハンドル２６と隠蔽部２６ａとが設けられている。ツールボックスを携帯する場合、ユーザーが手で握ることができる位置にハンドル２６を回動させる。これにより、ユーザーは、ツールボックスを容易に持ち運ぶことができる。ツールボックスを開く場合、図１に示すようにハンドル２６を第一殻体２０ａ、第二殻体２０ｂの隠蔽部２６ａに収納する。また、ハンドル２６を第一殻体２０ａ、第二殻体２０ｂの隠蔽部２６ａに収納することにより、第一殻体、第二殻体とを固定することができ、ツールボックスを強固に閉めることができる。
【００２７】
上記ツールボックスの構成により、図４に示すように、ユーザーは透明カバー２５を介してツール収納板１０の上面１１に収納されたツールを確認することができる。また、図５に示すように、ツールボックスの第一殻体２０ａを開くと、ツール収納板１０に複数のツールを収納することができる。また、図６に示すように、ツールボックスの第二殻体２０ｂを上面に向けて開くと、ツール収納板１０の下面１２に収納されたツールを確認することができる。即ち、ユーザーは、ツールボックスの両面から瞬時に収納された複数のツールを確認することができる。
【００２８】
尚、上記ツールボックスは上記構成に限定されることなく、類似の改良、変形、修飾されたツールボックスの構造においても適応可能である。
【００２９】
【発明の効果】
このようなツールボックスにおいて、第一殻体と前記第二殻体のそれぞれが第一側面と第二側面と、内縁の適当な位置に形成された収納空間と、その収納空間に連通された孔と、その孔に設けられた透明カバーとを有し、第二殻体の第一側面は、枢設軸を介して第一殻体の第一側面に接続され、第一殻体の第二側面は、取り外し可能なように前記第二殻体の第二側面に結合され、ツール収納板は、収納空間に収納され、複数のツール放置溝が形成された上面と下面とを有することにより、手間や時間をかけることなく収納されたツールを瞬時に探し出すことができると共に、持ち運びに便利であるなどの機能性を向上させることができる。
【図面の簡単な説明】
【図１】本発明の第１実施例に係るツールボックスを示す斜視図である。
【図２】本発明の第１実施例に係るツールボックスを示す分解斜視図である。
【図３】本発明の第１実施例に係るツールボックスの分解断面図である。
【図４】本発明の第１実施例に係るツールボックスの組み立て部分を示す斜視図である。
【図５】本発明の第１実施例に係るツールボックスの内部を示す斜視図である。
【図６】本発明の第２実施例に係るツールボックスを示す斜視図である。
【符号の簡単な説明】
１０                ツール収納板
１１                上面
１２                下面
１３、１４          ツール放置溝
１５                突出体
２０ａ              第一殻体
２０ｂ              第二殻体
２１ａ、２１ｂ      第二側面
２２ａ、２２ｂ      第一側面
２３                収納空間
２４                孔
２５                透明カバー
２６                ハンドル
２６ａ              隠蔽部
２７                雄ボタン
２８                雌ボタン
２３１              凹部
【図１】
2004155486.tif 000003
【図２】
2004155486.tif 000004
【図３】
2004155486.tif 000005
【図４】
2004155486.tif 000006
【図５】
2004155486.tif 000007
【図６】
2004155486.tif 000008